Podtech/llm-jp-corpus-v4-ja_patent huggingface dataset:
【手続補正書】
【提出日】平成20年5月28日(2008.5.28)
【手続補正１】
【補正対象書類名】特許請求の範囲
【補正対象項目名】全文
【補正方法】変更
【補正の内容】
【特許請求の範囲】
【請求項１】
被検体に対して超音波を発射し前記被検体からのエコーを入射するプローブを主走査方向と副走査方向に交互に送って走査動作させ、前記主走査方向におけるサンプリング動作で得られた前記エコーに係る信号に基づいて前記主走査方向での測定データを取得して映像を作成する超音波映像装置の映像作成方法であり、
測定すべき走査範囲とサンプリングピッチを指定する第１段階と、前記主走査方向の走査開始位置を、主走査方向のサンプリングピッチよりも短い所定の間隔でずらしながら走査を行う次の段階と、を備えることを特徴とする超音波映像装置の映像作成方法。
【請求項２】
前記次の段階が、前記主走査方向の走査開始位置を、前記副走査方向の送り移動時に前記主走査方向の前記サンプリングピッチの＋１／ｎの間隔でずらしながら走査を行う第２段階を含むことを特徴とする請求項１記載の超音波映像装置の作成方法。
【請求項３】
前記次の段階が、前記第２段階における前記副走査方向の送り移動回数がｎ回になったところで、前記主走査方向の走査開始位置を、前記副走査方向の送り移動時に前記主走査方向の前記サンプリングピッチの−１／ｎの間隔でずらしながら走査を行う第３段階と、指定された前記走査範囲の測定で前記第２段階と前記第３段階を繰り返す第４段階と、を含むことを特徴とする請求項２記載の超音波映像装置の映像作成方法。
【請求項４】
指定された前記走査範囲で生じた測定データ欠損部の測定データを補間演算処理で生成することを特徴とする請求項１〜３のいずれか１項に記載の超音波映像装置の映像作成方法。
【請求項５】
指定された前記走査範囲を基準にして、前記主走査方向の測定範囲を、走査開始位置側または走査終了位置側で前記サンプリングピッチの２倍の距離だけ拡張し、測定データ欠損部を生じさせないことを特徴とする請求項１〜３のいずれか１項に記載の超音波映像装置の映像作成方法。
【手続補正２】
【補正対象書類名】明細書
【補正対象項目名】０００７
【補正方法】変更
【補正の内容】
【０００７】
第１の本発明（請求項１に対応）に係る超音波映像装置の映像作成方法は、被検体に対して超音波を発射し当該被検体からのエコー（反射された超音波）を入射するプローブを、主走査方向および副走査方向に交互に送って走査動作させ、エコーに係る信号に基づいて主走査方向での測定データを取得して映像を作成する方法であり、主走査方向の動作ではサンプリングピッチが設定され、このサンプリングピッチに基づいて上記測定データを得るためのサンプリング動作が行われ、副走査方向の動作では送りピッチが設定され、これにより副走査方向に送り動作が行われる。上記において、当該映像作成方法は、測定すべき走査範囲とサンプリングピッチを指定する第１段階と、主走査方向の走査開始位置を、主走査方向のサンプリングピッチよりも短い所定の間隔でずらしながら走査を行う次の段階と、を備える。
第２の本発明（請求項２に対応）に係る超音波映像装置の映像作成方法は、上記の第１の方法において、次の段階が、主走査方向の走査開始位置を、副走査方向の送り移動時に主走査方向のサンプリングピッチの＋１／ｎの間隔でずらしながら走査を行う第２段階を含むことを特徴とする。
第３の本発明（請求項３に対応）に係る超音波映像装置の映像作成方法は、上記の第２の方法において、次の段階が、第２段階における副走査方向の送り移動回数がｎ回になったところで、主走査方向の走査開始位置を、副走査方向の送り移動時に主走査方向のサンプリングピッチの−１／ｎの間隔でずらしながら走査を行う第３段階と、指定された走査範囲の測定で第２段階と第３段階を繰り返す第４段階と、を含むことを特徴とする。
【手続補正３】
【補正対象書類名】明細書
【補正対象項目名】０００８
【補正方法】変更
【補正の内容】
【０００８】
本発明では、主走査方向の走査開始位置を、副走査方向の送り移動時に主走査方向のサンプリングピッチの＋１／ｎの間隔でずらしながら走査を行う第２段階と、副走査方向の送り移動回数がｎ回になったところで、主走査方向の走査開始位置を、副走査方向の送り移動時に主走査方向のサンプリングピッチの−１／ｎの間隔でずらしながら走査を行う第３段階を設けることにより、例えば測定点の間で線状の欠陥が副走査方向に平行な方向に生じていたとしても、当該欠陥を確実に検出することが可能となる。
【手続補正４】
【補正対象書類名】明細書
【補正対象項目名】０００９
【補正方法】変更
【補正の内容】
【０００９】
第４の本発明（請求項４に対応）に係る超音波映像装置の映像作成方法は、上記の方法において、好ましくは、指定された走査範囲で生じた測定データ欠損部の測定データを補間演算処理で生成することを特徴とする。
【手続補正５】
【補正対象書類名】明細書
【補正対象項目名】００１０
【補正方法】変更
【補正の内容】
【００１０】
第５の本発明（請求項５に対応）に係る超音波映像装置の映像作成方法は、上記の方法において、好ましくは、指定された走査範囲を基準にして、主走査方向の測定範囲を、走査開始位置側または走査終了位置側でサンプリングピッチの２倍の距離だけ拡張し、測定データ欠損部を生じさせないことを特徴とする。
【手続補正６】
【補正対象書類名】明細書
【補正対象項目名】００１１
【補正方法】変更
【補正の内容】
【００１１】
第５の本発明によって、測定範囲における主走査方向の走査開始位置側または走査終了位置側のデータ欠損部においても、測定データを得ることができる。
【手続補正書】
【提出日】平成20年2月4日(2008.2.4)
【手続補正１】
【補正対象書類名】特許請求の範囲
【補正対象項目名】全文
【補正方法】変更
【補正の内容】
【特許請求の範囲】
【請求項１】
複数のキャピラリと、複数のキャピラリの試料導入端が挿入される複数の中空電極と、複数の中空電極を所定位置に配置するロードヘッダを備えるキャピラリアレイであって、
中空電極の外側に導電性スポンジを備え、複数の中空電極間が電気的に接続されているキャピラリアレイ。
【請求項２】
請求項１記載のキャピラリアレイであって、
前記導電性スポンジの上に、接着剤吸取りシートを備えたことを特徴とするキャピラリアレイ。
【請求項３】
請求項１記載のキャピラリアレイであって、
前記複数の中空電極が、行列形状に配置されていることを特徴とするキャピラリアレイ。
【請求項４】
請求項１記載のキャピラリアレイであって、
前記複数の中空電極が、前記導電性スポンジを貫通していることを特徴とするキャピラリアレイ。
【請求項５】
複数のキャピラリと、複数のキャピラリの試料導入端が挿入される複数の中空電極と、複数の中空電極を所定位置に配置するロードヘッダを備え、中空電極の外側に導電性スポンジを有し、複数の中空電極間が電気的に接続されているキャピラリアレイと、
キャピラリ内の泳動路に電圧を印加する電源と、
電気泳動分離された試料に励起光を照射し、試料からの蛍光を取得する光学系と、
を備える電気泳動装置。
【請求項６】
請求項５記載の電気泳動装置であって、
前記導電性スポンジの上に、接着剤吸取りシートを備えたことを特徴とする電気泳動装置。
【請求項７】
請求項５記載の電気泳動装置であって、
前記複数の中空電極が、行列形状に配置されていることを特徴とする電気泳動装置。
【請求項８】
請求項５記載の電気泳動装置であって、
前記複数の中空電極が、前記導電性スポンジを貫通していることを特徴とする電気泳動装置。
【手続補正書】
【提出日】平成20年9月18日(2008.9.18)
【手続補正１】
【補正対象書類名】特許請求の範囲
【補正対象項目名】全文
【補正方法】変更
【補正の内容】
【特許請求の範囲】
【請求項１】
識別情報を含む標本関連情報が記録された情報表示部を有する標本中の細胞を撮像するための撮像手段と、
前記撮像手段によって撮像された細胞画像を出力するため出力手段と、
前記標本関連情報に含まれる識別情報を検出するための第一読み取り手段と、
前記情報表示部を撮像するための第二読み取り手段と、
前記識別情報が検出された場合には、その識別情報を前記細胞画像とともに出力するように前記出力手段を制御し、前記識別情報が検出されなかった場合には、前記第二読み取り手段で撮像した情報表示部に関する情報を前記細胞画像とともに出力するように前記出力手段を制御する制御手段と、
を備えている標本撮像装置。
【請求項２】
前記撮像手段で撮像された細胞画像に基づいて前記標本に含まれる細胞を分析するための分析手段を備え、
前記制御部は、前記識別情報が検出された場合には、その識別情報を前記細胞画像および／または前記分析手段による分析結果とともに出力するように前記出力手段を制御し、前記識別情報が検出されなかった場合には、第二読み取り手段で撮像した情報表示部に関する情報を前記細胞画像および／または前記分析手段による分析結果とともに出力するように前記出力手段を制御する請求項１に記載の標本撮像装置。
【請求項３】
前記標本関連情報の情報表示部は、前記識別情報を含むバーコードが表示されたコード表示部と、同識別情報を含むテキスト情報が表示されたテキスト表示部とから構成されている請求項１または２に記載の標本撮像装置。
【請求項４】
前記第一読み取り手段はバーコードリーダよりなり、前記第二読み取り手段は前記テキスト表示部を撮像可能なカメラよりなる請求項３に記載の標本撮像装置。
【請求項５】
前記第一読み取り手段と前記第二読み取り手段とが、共通の一つの読み取り手段により構成されている請求項１〜３のいずれかに記載の標本撮像装置。
【請求項６】
前記制御手段は、前記識別情報が読み取られなかった場合に、前記情報表示部の撮像を行うよう前記第二読み取り手段を制御する請求項１〜５のいずれかに記載の標本撮像装置。
【請求項７】
前記制御手段は、前記識別情報が読み取られなかった場合には、当該識別情報とは区別可能な仮の識別番号を前記標本に付与し、その仮の識別番号が付与された標本についてのみ前記標本関連情報の情報表示部の撮像を行うよう前記第二読み取り手段を制御する請求項６に記載の標本撮像装置。
【請求項８】
識別情報を含む標本関連情報が記録された情報表示部を有する標本の識別情報を読み取るステップと、
前記読み取りステップにより前記識別情報が検出されなかった場合には、前記情報表示部を撮像するステップと、
前記標本の細胞を撮像するステップと、
前記読み取りステップにより前記識別情報が検出された場合には、その識別情報を撮像された細胞画像とともに出力し、前記読み取りステップにより前記識別情報が検出されなかった場合には、撮像された情報表示部に関する情報を撮像された細胞画像とともに出力するステップと、
を含む標本撮像方法。
【請求項９】
識別情報を含む標本関連情報が記録された情報表示部を有する標本中の細胞を撮像するための撮像手段と、
前記撮像手段によって撮像された細胞画像を出力するため出力手段と、
前記標本関連情報に含まれる識別情報を検出するための第一読み取り手段と、
前記標本関連情報の情報表示部を撮像するための第二読み取り手段と、
を備えている標本撮像装置を制御するコンピュータのプログラムであって、
前記識別情報が検出された場合には、その識別情報を前記細胞画像とともに前記出力手段に出力し、前記識別情報が検出されなかった場合には、前記第二読み取り手段で撮像した情報表示部に関する情報を前記細胞画像とともに前記出力手段に出力するステップを、前記コンピュータに実行させるためのプログラム。
【請求項１０】
識別情報を含む標本関連情報が記録された情報表示部を有する標本中の細胞を撮像するための撮像手段と、
前記撮像手段によって撮像された細胞画像を出力するため出力手段と、
前記標本関連情報に含まれる識別情報を検出するための第一読み取り手段と、
前記情報表示部を撮像するための第二読み取り手段と、
前記識別情報が検出された場合には、その識別情報を前記細胞画像および前記第二読み取り手段によって撮像された情報表示部に関する情報とともに出力するように前記出力手段を制御し、前記識別情報が検出されなかった場合には、第二読み取り手段で撮像した情報表示部に関する情報を前記細胞画像とともに出力するように前記出力手段を制御する制御手段と、
を備えている標本撮像装置。
【請求項１１】
識別情報を含む標本関連情報が記録された情報表示部を有する標本に含まれる成分を分析するための分析手段と、
前記標本関連情報に含まれる識別情報を検出するための第一読み取り手段と、
前記分析手段によって分析された分析結果を出力するため出力手段と、
前記情報表示部を撮像するための第二の読み取り手段と、
前記識別情報が検出された場合には、その識別情報を前記分析結果とともに出力するように前記出力手段を制御し、前記識別情報が検出されなかった場合には、前記第二の読み取り手段による情報表示部に関する情報を前記分析結果とともに出力するように前記出力手段を制御する制御手段と、を備えていることを特徴とする標本分析装置。
【手続補正２】
【補正対象書類名】明細書
【補正対象項目名】００１６
【補正方法】変更
【補正の内容】
【００１６】
また、本発明は、前記撮像手段を備えていない標本分析装置として構成することもでき、この場合には、本発明に係る標本分析装置は、識別情報を含む標本関連情報が記録された情報表示部を有する標本に含まれる成分を分析するための分析手段と、
前記標本関連情報に含まれる識別情報を検出するための第一読み取り手段と、
前記分析手段によって分析された分析結果を出力するため出力手段と、
前記情報表示部を撮像するための第二の読み取り手段と、
前記識別情報が検出された場合には、その識別情報を前記分析結果とともに出力するように出力手段を制御し、前記識別情報が読み取られなかった場合には、前記第二の読み取り手段で撮像した情報表示部を前記分析結果とともに出力するように前記出力手段を制御する制御手段と、を備えていることを特徴とする。
【手続補正書】
【提出日】平成20年7月14日(2008.7.14)
【手続補正１】
【補正対象書類名】特許請求の範囲
【補正対象項目名】請求項１
【補正方法】変更
【補正の内容】
【請求項１】
計器類を収納する計器ケースと、この計器ケースの前面開放側を覆うカバープレートと、このカバープレートの周縁部分を覆うバイザーとからなる計器装置において、前記計器ケースの周面部分の適所には係止部を設け、この係止部と係合保持するための弾性変形可能な係合片を前記バイザーに設け、前記カバープレートの周面部分には前記係止部位置と隣接した箇所に案内ガイド部を設けてなることを特徴とする計器装置における組み付け構造。
【手続補正書】
【提出日】平成20年7月23日(2008.7.23)
【手続補正１】
【補正対象書類名】特許請求の範囲
【補正対象項目名】全文
【補正方法】変更
【補正の内容】
【特許請求の範囲】
【請求項１】
ケーシングの吸込口の内面側に沿って配された板状のフィルターと、該フィルターを移動させる移動経路と、該移動経路の途中に配され前記フィルターを清掃する清掃手段とを備え、前記移動経路は、ケーシングとその内部に配置される熱交換器との間の空間部に形成され、
ケーシング内において前記フィルターの設置領域と前記熱交換器の設置領域とを区画する格子状の区画壁が設けられ、該区画壁は、前記移動経路の一部を構成することを特徴とする空気調節装置。
【請求項２】
前記ケーシングのフィルター装着用の開口を有し、該開口に対向して前記区画壁が配置されたことを特徴とする請求項１に記載の空気調節装置。
【請求項３】
前記移動経路は、ガイド手段により形成され、該ガイド手段は、移動経路の内周側をガイドする内レールと、移動経路の外周側をガイドする外レールとを備え、前記区画壁は、ガイド手段として併用されることを特徴とする請求項１又は２に記載の空気調節装置。
【請求項４】
前記区画壁は、前記外レールの一部を構成することを特徴とする請求項３に記載の空気調節装置。
【請求項５】
前記移動経路は、前記吸込口の内面側に沿って形成されると共に、その端部から内側にＵ字状に折り返して形成され、前記区画壁は、折り返された前記移動経路の前記外レールの一部を構成することを特徴とする請求項４に記載の空気調節装置。
【手続補正２】
【補正対象書類名】明細書
【補正対象項目名】０００８
【補正方法】変更
【補正の内容】
【０００８】
上記目的を達成するため、本発明は、ケーシングの吸込口の内面側に沿って配された板状のフィルターと、該フィルターを移動させる移動経路と、移動経路の途中に配されフィルターを清掃する清掃手段とを備え、移動経路は、ケーシングとその内部に配置される熱交換器との間の空間部に形成され、ケーシング内においてフィルターの設置領域と熱交換器の設置領域とを区画する格子状の区画壁が設けられ、区画壁は、移動経路の一部を構成することを特徴とする空気調節装置である。
フィルターが板状であるので、ケーシングからフィルターのみを取り外しやすい。板状のフィルターであれば、少なくとも吸込口と対向する長さがあればいいので、フィルターの長さがエンドレス型のものに比べて短くてすむ。
区画壁は、格子状に形成されているので、空気の流通が可能となる。また、区画壁が移動経路の一部を構成するので、部品点数が多くならないですむ。
また、ケーシングのフィルター装着用の開口を有し、その開口に対向して区画壁が配置される。
【手続補正３】
【補正対象書類名】明細書
【補正対象項目名】０００９
【補正方法】変更
【補正の内容】
【０００９】
移動経路の形態は、例えば、吸込口の内面側に沿って形成されると共に、その端部から内側又は外側へＵ字状に折り返して形成してもよいし、吸込口の内面側に沿って形成されると共に、その端部から内側又は外側に渦状に巻き上げる形態としてもよい。
【手続補正４】
【補正対象書類名】明細書
【補正対象項目名】００１１
【補正方法】変更
【補正の内容】
【００１１】
移動経路は、ガイド手段により形成され、ガイド手段は、移動経路の内周側をガイドする内レールと、移動経路の外周側をガイドする外レールとを備え、区画壁は、ガイド手段として併用される。具体的には、区画壁は、外レールの一部を構成する。
移動経路が、吸込口の内面側に沿って形成されると共に、その端部から内側にＵ字状に折り返して形成された場合、区画壁は、折り返された移動経路の外レールの一部を構成する。
【手続補正５】
【補正対象書類名】明細書
【補正対象項目名】００１２
【補正方法】削除
【補正の内容】
【手続補正６】
【補正対象書類名】明細書
【補正対象項目名】００１５
【補正方法】変更
【補正の内容】
【００１５】
本発明によると、区画壁が移動経路の一部を構成するので、区画壁をガイド手段として併用でき、部品点数が多くならないですむ。
【手続補正書】
【提出日】平成20年9月11日(2008.9.11)
【手続補正１】
【補正対象書類名】特許請求の範囲
【補正対象項目名】全文
【補正方法】変更
【補正の内容】
【特許請求の範囲】
【請求項１】
対物レンズと標本との間の距離を調節する距離調節手段と、
ユーザが前記距離に関する情報を設定するための入力手段と、
前記ユーザにより設定された前記距離に関する情報を格納する第１の記憶手段と、
前記第１の記憶手段に格納されている前記距離に関する情報を表示する表示手段と、
焦点位置のずれ量に応じて、前記距離を補正する補正量を算出する補正量算出手段と、
前記補正量算出手段により算出された前記補正量を格納する第２の記憶手段と、
前記第１の記憶手段に格納されている前記距離に関する情報及び前記第２の記憶手段に格納されている前記補正量に基づいて、前記距離調節手段を制御する制御手段と
を具備する顕微鏡。
【請求項２】
前記補正量算出手段が、温度変化によって生じた前記焦点位置のずれ量に応じて、前記補正量を算出する請求項１に記載の顕微鏡。
【請求項３】
切替え可能な複数の対物レンズを有し、
前記補正量算出手段が、前記対物レンズを切り替えることにより生ずる前記焦点位置のずれ量に応じて、前記補正量を算出する請求項１又は請求項２に記載の顕微鏡。
【請求項４】
波長成分を変更可能な光源手段を備え、
前記補正量算出手段が、前記光源手段から発せられる波長変化によって生じた色収差に起因する前記焦点位置のずれ量に応じて、前記補正量を算出する請求項１から請求項３のいずれかの項に記載の顕微鏡。
【請求項５】
前記標本を水平方向に移動可能なステージを備え、
前記補正量算出手段が、前記ステージの傾き又はたわみに起因する前記焦点位置のずれ量に応じて、前記補正量を算出する請求項１から請求項４のいずれかの項に記載の顕微鏡。
【請求項６】
標本面が焦点位置となる位置を特定する焦点位置検出手段を更に備え、
補正量算出手段は、前記焦点位置検出手段により検出された合焦位置と前記第1の記憶手段に格納された位置情報との差分を求めることにより前記補正量を算出することを特徴とする請求項１から請求項５のいずれかに記載の顕微鏡。
【請求項７】
前記第1の記憶手段は、前記距離に関する情報として原点位置情報を格納し、
前記表示手段は、前記第1の記憶手段に格納される原点位置からの相対座標情報を表示し、
前記制御手段は、前記補正量算出手段により算出された前記補正量に基づいて前記距離調節手段を制御して焦点位置ずれを補正するとともに、前記第1の記憶手段に格納された原点位置情報を前記補正量に基づいて更新することを特徴とする請求項１から請求項５のいずれかの項に記載の顕微鏡。
【手続補正書】
【提出日】平成20年9月26日(2008.9.26)
【手続補正１】
【補正対象書類名】特許請求の範囲
【補正対象項目名】全文
【補正方法】変更
【補正の内容】
【特許請求の範囲】
【請求項１】
吸引管により上部が開口した検体容器から検体を吸引して、検体を分析する検体分析装置において、
超弾性金属により構成された吸引管と、
当該吸引管を挿入する挿入口を有し、当該挿入口に挿入された吸引管から吐出された検体から試料を調製する試料調整部と、
検体を吸引する吸引位置と、前記試料調整部の挿入口に挿入された挿入位置との間で、前記吸引管を移動させる移動機構と、
前記吸引管が貫通する貫通路、前記貫通路に洗浄液を供給する供給路、及び前記貫通路から洗浄液を排出する排出路を有し、前記貫通路を貫通した吸引管を洗浄する洗浄部と、
前記試料調整部によって調製された試料を分析する分析部と
を備える検体分析装置。
【請求項２】
前記移動機構は、前記吸引管と前記洗浄部とを前記吸引管の長手方向へ相対的に移動させるように構成されている請求項１に記載の検体分析装置。
【請求項３】
前記吸引管で検体を定量吸引する定量吸引部と、
前記吸引管の内部に洗浄液を供給する供給部とを更に備え、
当該供給部により前記吸引管の内部に洗浄液を供給することにより、吸引管の内部を洗浄すると共に、前記吸引管の内部に洗浄液を充填するように構成されている請求項１又は２に記載の検体分析装置。
【請求項４】
前記移動機構により前記吸引管が移動されるときに、前記洗浄部が前記吸引管と一体的に移動するように構成されている請求項１乃至３のいずれかに記載の検体分析装置。
【請求項５】
前記吸引管に接続されており、前記吸引管に負圧を与えて検体を吸引させる吸引機構と、
外部から検体の吸引開始の指示を受け付ける指示受付部と、
前記吸引機構及び前記移動機構の動作を制御する制御部とを更に備え、
前記制御部は、前記指示受付部が吸引開始の指示を受け付けたときに、前記吸引管を停止させたまま前記吸引管から検体を吸引させるように前記吸引機構及び前記移動機構を動作制御する請求項１乃至４のいずれかに記載の検体分析装置。
【請求項６】
前記吸引管は、チタン−ニッケル合金、銅−アルミニウム−ニッケル合金、又はチタン合金製である請求項１乃至５のいずれかに記載の検体分析装置。
【請求項７】
前記検体は、血液検体である請求項１乃至６のいずれかに記載の検体分析装置。
【請求項８】
吸引管により上部が開口した検体容器から検体を吸引して、検体を分析する検体分析装置において、
超弾性金属により構成された吸引管と、
前記吸引管が貫通する貫通路と、前記貫通路に洗浄液を供給する供給路と、前記貫通路から洗浄液を排出する排出路とを有し、前記貫通路を貫通した吸引管を洗浄する洗浄部と、
前記吸引管と前記洗浄部とを前記吸引管の長手方向へ相対的に移動させる移動機構と、
前記吸引管によって吸引された検体を分析する分析部と
を備える検体分析装置。
【請求項９】
上部が開口した検体容器をオペレータが下方から上方に移動させることにより吸引管が検体容器内に挿入され、その吸引管により検体容器から検体を吸引して、検体を分析する検体分析装置において、
超弾性金属により構成された吸引管と、
前記吸引管によって吸引された検体を分析する分析部と、
を備える検体分析装置。
【手続補正２】
【補正対象書類名】明細書
【補正対象項目名】００１６
【補正方法】変更
【補正の内容】
【００１６】
本発明に係る検体分析装置は、吸引管により上部が開口した検体容器から検体を吸引して、検体を分析する検体分析装置において、超弾性金属により構成された吸引管と、前記吸引管が貫通する貫通路と、前記貫通路に洗浄液を供給する供給路と、前記貫通路から洗浄液を排出する排出路とを有し、前記貫通路を貫通した吸引管を洗浄する洗浄部と、前記吸引管と前記洗浄部とを前記吸引管の長手方向へ相対的に移動させる移動機構と、前記吸引管によって吸引された検体を分析する分析部とを備えることを特徴とする。
また、本発明に係る検体分析装置は、上部が開口した検体容器をオペレータが下方から上方に移動させることにより吸引管が検体容器内に挿入され、その吸引管により検体容器から検体を吸引して、検体を分析する検体分析装置において、超弾性金属により構成された吸引管と、前記吸引管によって吸引された検体を分析する分析部と、を備えることを特徴とする。
【手続補正書】
【提出日】平成20年9月19日(2008.9.19)
【手続補正１】
【補正対象書類名】特許請求の範囲
【補正対象項目名】全文
【補正方法】変更
【補正の内容】
【特許請求の範囲】
【請求項１】
第１基板と、
前記第１基板が接続されている基板であって前記第１基板の平面方向が該基板の平面方向に対して直交するように該接続がなされている第２基板と、
前記第１基板に配置されている電気光学素子であって該第１基板の平面に直交する方向に発光又は受光の光軸が設定されている電気光学素子と、
前記第２基板に配置されていて光伝播路の構成要素となる光学部材であって該第２基板の平面に平行に光軸が設定されている光学部材と、を有し、
前記電気光学素子の光軸が前記光透過部材を貫くように該電気光学素子及び光透過部材が配置されていることを特徴とする光伝送モジュール。
【請求項２】
前記電気光学素子は、面発光レーザ又は受光素子であることを特徴とする請求項１に記載の光伝送モジュール。
【請求項３】
前記光学部材は、マイクロレンズ又は導波路であることを特徴とする請求項１又は２に記載の光伝送モジュール。
【請求項４】
前記第１基板は、前記第２基板を割る又は折り曲げることで構成したものであることを特徴とする請求項１から３のいずれか一項に記載の光伝送モジュール。
【請求項５】
前記第１基板と第２基板とは、該第１基板及び第２基板の平面上に形成された弾性及び絶縁性を有する絶縁部材を有して接続されていることを特徴とする請求項１から３のいずれか一項に記載の光伝送モジュール。
【請求項６】
前記第１基板と第２基板とは、該第１基板及び第２基板の平面上に形成された弾性及び絶縁性を有する第１絶縁部材と、前記第１絶縁部材上に形成された配線と、少なくとも前記配線を覆うように形成された弾性及び絶縁性を有する第２絶縁部材と、を有して接続されていることを特徴とする請求項１から３のいずれか一項に記載の光伝送モジュール。
【請求項７】
前記マイクロレンズは、前記第２基板の平面に凸状に形成された土台の上に配置されていることを特徴とする請求項１から６のいずれか一項に記載の光伝送モジュール。
【請求項８】
前記土台は、前記第２基板の平面に凸状に形成された部位がリング形状をなすものであり、
前記リング形状の中心点が前記マイクロレンズの中心軸上に位置していることを特徴とする請求項７に記載の光伝送モジュール。
【請求項９】
基板と、
前記基板上に配置された複数のマイクロレンズと、を有し、
前記複数のマイクロレンズは、それぞれが少なくとも他の１つのマイクロレンズと光結合するように配置されているとともに、１つの前記マイクロレンズの透過光のみが単独で通るように配置されている枝マイクロレンズと、少なくとも２つの前記マイクロレンズの透過光が合波して通るように配置されている幹マイクロレンズとを有することを特徴とする光伝送モジュール。
【請求項１０】
前記基板に接続されている半導体基板であって前記基板の平面方向が該半導体基板の平面方向に対して直交するように該接続がなされている半導体基板と、
前記半導体基板に配置されている複数の電気光学素子であって該半導体基板の平面に直交する方向に発光又は受光の光軸が設定されている複数の電気光学素子と、を有し、
前記複数の電気光学素子それぞれの光軸が前記枝マイクロレンズのいずれかを貫くように該複数の電気光学素子及び枝マイクロレンズが配置されていることを特徴とする請求項９に記載の光伝送モジュール。
【請求項１１】
前記マイクロレンズは、前記基板上に形成された球形の第１部材と、前記第１部材を覆うように配置された第２部材とで構成されていることを特徴とする請求項９又は１０に記載の光伝送モジュール。
【請求項１２】
基板の平面に直交する方向に発光又は受光の光軸が位置する電気光学素子を該基板に形成する工程と、
前記基板の平面に平行に光軸が位置する光学部材を該基板に形成する工程と、
前記基板を割る又は折り曲げることにより、該基板の側面をＬ字形状にして、前記電気光学素子の光軸が前記光透過部材を貫くように、該電気光学素子に対する光透過部材の向きを変更する工程とを有することを特徴とする光伝送モジュールの製造方法。
【請求項１３】
第１基板に配置され、前記第１基板の表面に交差する方向に光を発光する発光素子、または前記第１基板の表面に交差する方向からの光を受光する受光素子を有する光学素子と、
第２基板に配置され、前記第２基板の表面に平行な方向に光が伝播する光学部材と、
を含み、
前記光学素子が発光または受光する光が、前記光学部材を伝播することを特徴とする光学装置。
【請求項１４】
基板に配置され、前記基板の表面に交差する方向に光を発光する発光素子、または前記基板の表面に交差する方向からの光を受光する受光素子を有する光学素子と、
前記基板に配置され、前記基板の表面に平行な方向に光が伝播する光学部材と、
を含み、
前記光学素子が発光または受光する光が、前記光学部材を伝播するように前記光学素子と前記光学部材とが配置されたことを特徴とする光学装置。
【請求項１５】
前記光学部材は導波路であることを特徴とする請求項１３又は１４に記載の光学装置。
【請求項１６】
前記光学部材はマイクロレンズであることを特徴とする請求項１３から１５のいずれか一項に記載の光学装置。
【請求項１７】
前記光学素子と前記光学部材とが、前記基板を曲げることにより配置されたことを特徴とする請求項１４に記載の光学装置。
【請求項１８】
基板に、前記基板の表面に交差する方向に光を発光する発光素子、または前記第１基板の表面に交差する方向からの光を受光する受光素子を有する光学素子を形成する工程と、
前記基板の表面に平行な方向に光が伝播する光学部材を形成する工程と、
前記基板を曲げることにより、前記光学素子が発光または受光する光が、前記光学部材を伝播するように前記光学素子と前記光学部材とを配置する工程と、
を含むことを特徴とする光学装置の製造方法。
【請求項１９】
請求項１から１１のいずれか一項に記載の光伝送モジュール、又は請求項１２に記載の光伝送モジュールの製造方法を用いて製造された光伝送モジュール、又は請求項１３から１７のいずれか一項に記載の光学装置、又は請求項１８に記載の光学装置の製造方法を用いて製造された光学装置を含むことを特徴とする光伝送装置。
【請求項２０】
請求項１から１１のいずれか一項に記載の光伝送モジュール、又は請求項１２に記載の光伝送モジュールの製造方法を用いて製造された光伝送モジュール、又は請求項１３から１７のいずれか一項に記載の光学装置、又は請求項１８に記載の光学装置の製造方法を用いて製造された光学装置を含むことを特徴とする電子機器。
【手続補正２】
【補正対象書類名】明細書
【補正対象項目名】発明の名称
【補正方法】変更
【補正の内容】
【発明の名称】光伝送モジュール、光伝送モジュールの製造方法、光学装置、光学装置の製造方法、光伝送装置および電子機器
【手続補正書】
【提出日】平成20年10月22日(2008.10.22)
【手続補正１】
【補正対象書類名】明細書
【補正対象項目名】００１３
【補正方法】変更
【補正の内容】
【００１３】
図１において、１は一対の画像形成素子のうち左眼ＥＬ用の画像形成素子である液晶表示素子（以下、ＬＣＤと記す）である。２は左眼ＥＬ用の偏心反射曲面群であり、ＳＬ１，ＳＬ２，ＳＬ３，ＳＬ４の４つのミラーにより構成されている。３はＬＣＤ１からの光束を集光するためのレンズである。これら偏心反射曲面群２およびレンズ３は、本実施例の左眼光学系を形成している。
【手続補正２】
【補正対象書類名】明細書
【補正対象項目名】００１４
【補正方法】変更
【補正の内容】
【００１４】
１’は上記一対の画像形成素子のうち右眼ＥＲ用の画像形成素子であるＬＣＤである。２’は右眼ＥＲ用の偏心反射曲面群であり、ＳＲ１，ＳＲ２，ＳＲ３，ＳＲ４の４つのミラーにより構成されている。３’はＬＣＤ１’からの光束を集光するためのレンズである。これら偏心反射曲面群２’およびレンズ３’は、本実施例の右眼光学系を形成している。
【手続補正３】
【補正対象書類名】明細書
【補正対象項目名】００１８
【補正方法】変更
【補正の内容】
【００１８】
なお、本実施例のＨＭＤは、ＬＣＤ１，１’を駆動する駆動回路１００を含む。駆動回路１００には、パーソナルコンピュータ、ＤＶＤプレーヤ、テレビチューナ等の画像情報供給装置１１０が接続されており、画像表示システムが構成される。駆動回路１００は入力された画像情報に応じた原画をＬＣＤ１，１’に表示させる。このことは、以下の実施例でも同じである。
【手続補正４】
【補正対象書類名】明細書
【補正対象項目名】００１９
【補正方法】変更
【補正の内容】
【００１９】
本実施例での光路について、まず左眼光学系から説明する。平面Ｃに対して左眼側（一方の側）に配置されたＬＣＤ１からの光束は、レンズ３により集光され、４つのミラーＳＬ１，ＳＬ２，ＳＬ３，ＳＬ４によって囲まれた空間に入射する。該空間に導かれた光束は、平面Ｃよりも左眼側に配置されたミラー（第１の反射面）ＳＬ４によって反射され、平面Ｃよりも右眼側（他方の側）にあるミラー（第２の反射面）ＳＬ３に向かう。ミラーＳＬ３で反射された光束は、平面Ｃよりも右眼側にあるミラー（第４の反射面）ＳＬ２によって反射された後、平面Ｃよりも左眼側にあるミラー（第３の反射面）ＳＬ１に向かう。ミラーＳＬ１で反射された光束は、射出瞳を形成し、該射出瞳の位置又はその近傍である観察領域（一対の観察領域のうち一方の側の観察領域）に置かれた観察者の左眼ＥＬに導かれる。これにより、観察者の左眼ＥＬには、左眼用のＬＣＤ１に表示された原画の拡大像が提示される。
【手続補正５】
【補正対象書類名】明細書
【補正対象項目名】００２０
【補正方法】変更
【補正の内容】
【００２０】
一方、右眼光学系においては、平面Ｃに対して右眼側（一方の側）にあるＬＣＤ１’からの光束は、レンズ３’により集光されて４つのミラーＳＲ１，ＳＲ２，ＳＲ３，ＳＲ４によって囲まれた空間に入射する。
【手続補正６】
【補正対象書類名】明細書
【補正対象項目名】００２１
【補正方法】変更
【補正の内容】
【００２１】
該空間に導かれた光束は、平面Ｃよりも右眼側に配置されたミラー（第１の反射面）ＳＲ４によって反射され、平面Ｃよりも左眼側（他方の側）にあるミラー（第２の反射面）ＳＲ３に向かう。ミラーＳＲ３で反射された光束は、平面Ｃよりも左眼側にあるミラーＳＲ２によって反射された後、平面Ｃよりも右眼側にあるミラー（第３の反射面）ＳＲ１に向かう。ミラーＳＲ１で反射された光束は、射出瞳を形成し、該射出瞳の位置又はその近傍である観察領域（一対の観察領域のうち一方の側の観察領域）に置かれた観察者の右眼ＥＲに導かれる。これにより、観察者の左眼ＥＲには、右眼用のＬＣＤ１’に表示された原画の拡大像が提示される。
【手続補正７】
【補正対象書類名】明細書
【補正対象項目名】００３４
【補正方法】変更
【補正の内容】
【００３４】
面ＳＬ２および面ＳＬ４を有する部品と、面ＳＬ１および面ＳＲ１を有する部品とは、別部品でも一体の部品でもよい。また、面ＳＲ３，ＳＬ１，ＳＲ１，ＳＬ３を１つの部品に形成してもよい。このように、複数の反射面を１つの部品に形成することによって、部品点数や組立工程数を減少させることができる。
【手続補正８】
【補正対象書類名】明細書
【補正対象項目名】００３７
【補正方法】変更
【補正の内容】
【００３７】
偏心反射曲面群（複数の偏心反射面）には凹面ミラー（凹面反射面）が含まれるが、さらに少なくとも１つの凸面ミラー（凸面反射面）を含む構成とすることが好ましい。本実施例では、偏心反射曲面群に凹面ミラーＳＬ１，ＳＬ３と凸面ミラーＳＬ２，ＳＬ４とを含ませて、偏心反射曲面群で発生するペッツバール和を抑え、さらにこれをレンズ３で打ち消す構成としている。これにより、像面湾曲の少ない画像の提示が可能である。
【手続補正９】
【補正対象書類名】明細書
【補正対象項目名】００４７
【補正方法】変更
【補正の内容】
【００４７】
次に、ｙ軸方向について光路を説明する。平面Ｃに対して左眼側、すなわちｙ＋側のＬＣＤ１から射出してｙ−方向に進行した光束は、面ＳＬ４での反射、面ＳＬ３での透過および面ＳＬ１での反射においてｙ−方向に進行方向を保ったまま、平面Ｃよりも右眼側、すなわちｙ−側の面ＳＬ２に導かれる。そして、面ＳＬ２で反射されることによって、ｙ＋方向に進行方向を変えられ、平面Ｃよりも左眼側であるｙ＋側に戻される。ｙ＋方向に進行した光束は、ｙ＋側の面ＳＬ１によって進行方向をｙ＋に保ったまま反射され、面ＳＬ３によって反射されて進行方向のｙ成分が略０の状態にされてｙ＋側の眼ＥＬに導かれる。
【手続補正書】
【提出日】平成20年9月3日(2008.9.3)
【手続補正１】
【補正対象書類名】特許請求の範囲
【補正対象項目名】全文
【補正方法】変更
【補正の内容】
【特許請求の範囲】
【請求項１】
複数の発光源と、該発光源が実装された基板と、発光源からの光を一方向に指向させるレンズと、側面の入射面から入った該レンズからの光を面状に広げて前面に照射する導光板と、該導光板の前面に取り付けられた液晶パネルとを備えたエッジライト形のディスプレイ装置において、
前記基板の発光源実装面と反対側に熱的に接触して取り付けられたヒートシンクと、一つないし複数のファンとを備え、前記ヒートシンクのベース部は概略L字型形状であり、基板が搭載されるベース面とフィンが構成されるベース面とが概略垂直であり、かつ、ベース部のフィンが構成されるベース面、並びに冷却空気の給・排気面がディスプレイの画面表示側とは反対側に構成されることを特徴とするディスプレイ装置。
【請求項２】
複数の発光源と、該発光源が実装された基板と、発光源からの光を一方向に指向させるレンズと、側面の入射面から入った該レンズからの光を面状に広げて前面に照射する導光板と、該導光板の前面に取り付けられた液晶パネルとを備えたエッジライト形のディスプレイ装置において、
前記基板の発光源実装面と反対側に熱的に接触して取り付けられたヒートシンクと、該ヒートシンクの両端部に吸出し方向に冷却空気が流通するように取り付けられた二つのファンとを備え、該ヒートシンクへの冷却空気の流入口が該ヒートシンクの中央部付近に構成されるように、該ヒートシンクの端面部に風漏れ防止カバーを設けたことを特徴とするディスプレイ装置。
【請求項３】
複数の発光源と、該発光源が実装された基板と、発光源からの光を一方向に指向させるレンズと、側面の入射面から入った該レンズからの光を面状に広げて前面に照射する導光板と、該導光板の前面に取り付けられた液晶パネルとを備えたエッジライト形のディスプレイ装置において、
前記基板の発光源実装面と反対側に熱的に接触して取り付けられたヒートシンクと、該ヒートシンクの中央部付近に押し込み方向に冷却空気が流通するように取り付けられた一つないし複数のファンとを備え、該ヒートシンクからの冷却空気の排出口が該ヒートシンクの両端部付近に構成されるように、該ヒートシンクの端面部に風漏れ防止カバーを設けたことを特徴とするディスプレイ装置。
【請求項４】
複数の発光源と、該発光源が実装された基板と、発光源からの光を一方向に指向させるレンズと、側面の入射面から入った該レンズからの光を面状に広げて前面に照射する導光板と、該導光板の前面に取り付けられた液晶パネルとを備えたエッジライト形のディスプレイ装置において、
前記基板の発光源実装面と反対側に熱的に接触して取り付けられたヒートシンクと、一つないし複数のファンとを備え、前記ヒートシンクのベース部は概略L字型形状であり、基板が搭載されるベース面とフィンが構成されるベース面とが概略垂直であり、かつ、ベース部のフィンが構成されるベース面、並びに冷却空気の給・排気面がディスプレイの画面表示側とは反対側に構成されており、ベース部に構成される複数のフィンの形状は基板が搭載されるベース面に概略平行に配列された板状のフィン群であることを特徴とするディスプレイ装置。
【請求項５】
複数の発光源と、該発光源が実装された基板と、発光源からの光を一方向に指向させるレンズと、側面の入射面から入った該レンズからの光を面状に広げて前面に照射する導光板と、該導光板の前面に取り付けられた液晶パネルとを備えたエッジライト形のディスプレイ装置において、
前記基板の発光源実装面と反対側に熱的に接触して取り付けられたヒートシンクと、一つないし複数のファンとを備え、前記ヒートシンクのベース部は概略L字型形状であり、基板が搭載されるベース面とフィンが構成されるベース面とが概略垂直であり、かつ、ベース部のフィンが構成されるベース面、並びに冷却空気の給・排気面がディスプレイの画面表示側とは反対側に構成されており、ベース部に構成される複数のフィンの形状は基板が搭載されるベース面に概略平行に配列された柱状のフィン群であることを特徴とするディスプレイ装置。
【請求項６】
複数の発光源と、該発光源が実装された基板と、発光源からの光を一方向に指向させるレンズと、側面の入射面から入った該レンズからの光を面状に広げて前面に照射する導光板と、該導光板の前面に取り付けられた液晶パネルとを備えたエッジライト形のディスプレイ装置において、
前記基板の発光源実装面と反対側に熱的に接触して取り付けられたヒートシンクと、該ヒートシンクの両端部に吸出し方向に冷却空気が流通するように取り付けられた二つの回転数可変式ファンとを備え、該ヒートシンクへの冷却空気の流入口が該ヒートシンクの中央部付近に構成されるように、該ヒートシンクの端面部に風漏れ防止カバーを設け、前記発光源または前記発光源が実装された基板にそれらの温度をモニタリングできる温度センサを設け、異常時には、前記発光源の温度が適正になるように、ファンの回転数を制御できるように構成したことを特徴とするディスプレイ装置。
【手続補正書】
【提出日】平成20年1月15日(2008.1.15)
【手続補正１】
【補正対象書類名】明細書
【補正対象項目名】特許請求の範囲
【補正方法】変更
【補正の内容】
【特許請求の範囲】
【請求項１】
試料上に設けた位置検出用マークのマーク像を結像光学系を介して検出する像検出手段と、
前記像検出手段からの検出出力に基づいて前記位置検出用マークの位置を検出する位置検出手段と、
前記像検出手段で検出される前記マーク像を所定範囲内でデフォーカスさせることができるデフォーカス手段と、
前記マーク像をデフォーカスさせた場合の当該マーク像のエッジの傾きに基づいて、前記マーク像をデフォーカスさせて位置検出を行う際のデフォーカス量を決定する決定手段と、
を備えることを特徴とする位置検出装置。
【請求項２】
前記決定手段は、前記マーク像のエッジの傾きと強度情報とに基づいて前記デフォーカス量を決定することを特徴とする請求項１記載の位置検出装置。
【請求項３】
前記決定手段は、前記マーク像のエッジの傾きがほぼ最大となるように前記デフォーカス量を決定することを特徴とする請求項１または２の何れか記載の位置検出装置。
【請求項４】
前記決定手段は、前記マーク像のコントラストが所定の値以上となるデフォーカス範囲内で、前記マーク像のエッジの傾きがほぼ最大となるように前記デフォーカス量を決定することを特徴とする請求項１または２の何れか記載の位置検出装置。
【請求項５】
前記決定手段は、前記マーク像の強度分布における変化率の振幅から前記エッジの傾きを求めることを特徴とする請求項１乃至４の何れか記載の位置検出装置。
【請求項６】
試料上に設けた位置検出用マークのマーク像をデフォーカスさせた状態で検出することによって前記位置検出用マークの位置を検出する位置検出方法であって、
前記マーク像をデフォーカスさせた場合の当該マーク像のエッジの傾きに基づいて、前記マーク像をデフォーカスさせて位置検出を行う際のデフォーカス量を決定することを特徴とする位置検出方法。
【請求項７】
所定のパターンが描かれたマスクを照明する照明装置と、前記マスクの像を前記試料上に投影する投影光学系と、前記試料を前記マスクに対して相対的に移動させる試料ステージと、前記試料ステージの位置を検出する請求項１乃至６の何れか記載の位置検出装置とを備えることを特徴とする露光装置。
【手続補正２】
【補正対象書類名】明細書
【補正対象項目名】００１２
【補正方法】変更
【補正の内容】
【００１２】
上記の態様においては、決定手段がマーク像のエッジの傾きがほぼ最大となるようにデフォーカス量を決定するので、マーク像のエッジを最も急峻にしてマーク像をデフォーカスさせることになり、低段差の位置検出用マークであっても高精度の位置検出が可能になる。
また、上記位置検出装置の好ましい態様では、決定手段は、マーク像のコントラストが所定の値以上となるデフォーカス範囲内で、マーク像のエッジの傾きがほぼ最大となるようにデフォーカス量を決定する。
また、上記位置検出装置の好ましい態様では、決定手段は、マーク像の強度分布における変化率の振幅からエッジの傾きを求める。
【手続補正書】
【提出日】平成20年10月10日(2008.10.10)
【手続補正１】
【補正対象書類名】特許請求の範囲
【補正対象項目名】全文
【補正方法】変更
【補正の内容】
【特許請求の範囲】
【請求項１】
遊技球発射手段により発射された遊技球が打ち込まれる遊技領域を有する遊技盤に配設された入球手段と、
前記入球手段に遊技球が入球したことを検出する検出手段とを備え、
前記検出手段の検出結果に基づいて遊技者に遊技球を払い出す遊技機において、
前記検出手段が取り付けられる被取付手段と、
弾性変形していない状態では検出手段に係合して検出手段の取り外しを阻止し、弾性変形することにより、検出手段を取り外し可能な状態にする係止手段と、
前記被取付手段に前記検出手段を取り付けた状態で前記係止手段の弾性変形を阻止する弾性変形阻止手段と、
を備えたことを特徴とする遊技機。
【請求項２】
請求項１に記載の遊技機において、
前記検出手段は、矩形状であり、
前記被取付手段は、前記検出手段を挿入装着可能とする略箱状のソケットであり、
前記係止手段は、前記ソケットの挿入開口の周縁から前記検出手段の取り外し方向に片持ち状に延伸し、当該延伸部の先端に係止爪を備え、前記検出手段の挿入末端部に当該係止爪が係合するようになっており、
前記弾性阻止手段は、前記ソケットに前記検出手段を取り付けたときに、前記係止手段を挟んで前記検出手段と対向するように前記ソケットの延伸部と接触するように配備した他の構成部品である
ことを特徴とする遊技機。
【請求項３】
請求項１に記載の遊技機において、
前記検出手段は、矩形状で、その所定面に係止溝が形成されており、
前記被取付手段は、前記検出手段を挿入装着可能とする略箱状のソケットであり、かつ、当該ソケットに前記検出手段を挿入装着したときに、当該検出手段に形成された係止溝の位置に貫通孔が形成されており、
前記弾性変形阻止手段は、前記ソケットに貫通孔が形成された周側面と接触する他の構成部品であり、
前記係止手段は、前記弾性阻止手段の表面に凸設された係止爪であり、かつ、当該係止爪が前記ソケットに形成された貫通孔を貫通して前記検出手段に形成された係止溝に係止するように構成されている
ことを特徴とする遊技機。
【請求項４】
請求項１または２に記載の遊技機において、
前記検出手段が前記被取付手段に取り付けた状態で、前記係止手段が係止している部分を視認できるように配置した
ことを特徴とする遊技機。
【請求項５】
請求項４に記載の遊技機において、
前記被取付手段および前記係止手段は、前記遊技盤に配設された入賞装置を構成するフレーム部材に一体形成されている
ことを特徴とする遊技機。
【手続補正書】
【提出日】平成20年3月4日(2008.3.4)
【手続補正１】
【補正対象書類名】特許請求の範囲
【補正対象項目名】全文
【補正方法】変更
【補正の内容】
【特許請求の範囲】
【請求項１】
遊技者の利益に関わりのある所定の遊技に関する制御を行う制御手段を備えた遊技機において、
前記制御手段を初期化する初期化条件の成立を検出する初期化条件成立検出手段と、
前記初期化条件成立検出手段での初期化条件成立検出に基づいて、前記制御手段を初期化する初期化手段と、
遊技開始指示を検出する遊技開始指示検出手段と、
前記初期化手段での前記制御手段の初期化後に前記遊技開始指示検出手段で遊技開始指示が検出されると、遊技者に遊技利益を付与することが可能な通常の遊技を開始し、前記初期化手段での前記制御手段の初期化後から前記遊技開始指示検出手段で遊技開始指示が検出されるまでの間は前記通常の遊技の開始を制限する遊技開始調整手段と、
を備えていることを特徴とする遊技機。
【請求項２】
請求項１に記載の遊技機において、
前記遊技開始調整手段は、前記通常の遊技の開始を制限している状態において、遊技球が入球手段に入球することに基づく遊技球の払い出し動作と、遊技球の入球に基づく識別情報の変動表示動作の少なくとも一方を禁止するという制限を施し、それ以外の遊技動作については制限しない
ことを特徴とする遊技機。
【請求項３】
請求項１または２に記載の遊技機において、
前記遊技開始調整手段は、前記初期化手段での前記制御手段の初期化後から前記遊技開始指示検出手段で遊技開始指示が検出されるまでの間は、遊技球を遊技領域に発射しないように遊技球の発射を制限することを特徴とする遊技機。
【請求項４】
請求項１から３のいずれか一つに記載の遊技機において、
前記遊技開始指示検出手段での遊技開始指示の検出があるまで報知を継続する報知手段を
備えていることを特徴とする遊技機。
【請求項５】
遊技者の利益に関わりのある所定の遊技に関する制御を行う制御手段を備えた遊技機において、
前記制御手段を初期化する初期化条件の成立を検出する初期化条件成立検出手段と、
前記初期化条件成立検出手段での初期化条件成立検出に基づいて、前記制御手段を初期化する初期化手段と、
前記初期化手段での前記制御手段の初期化後に報知を行う報知手段と、
遊技開始指示を検出する遊技開始指示検出手段とを備え、
前記報知手段は、前記遊技開始指示検出手段での遊技開始指示の検出があるまで報知を継続することを特徴とする遊技機。
【請求項６】
請求項１から５のいずれか一つに記載の遊技機において、
遊技開始指示が入力される入力指示手段を、遊技機の通常使用状態において外部から触れることのできない、当該遊技機の所定箇所に配設し、
前記遊技開始指示検出手段は、前記入力指示手段からの遊技開始指示を検出する
ことを特徴とする遊技機。
【請求項７】
請求項６に記載の遊技機において、
前記遊技開始指示検出手段は、前記入力指示手段に対する特定の入力指示態様に基づいて遊技開始指示を検出する
ことを特徴とする遊技機。
【請求項８】
請求項７に記載の遊技機において、
前記遊技開始指示検出手段は、前記初期化手段での前記制御手段の初期化後から所定期間を検出期間とし、当該検出期間における前記入力指示手段に対する特定の入力指示態様に基づいて遊技開始指示を検出する
ことを特徴とする遊技機。
【手続補正書】
【提出日】平成20年5月16日(2008.5.16)
【手続補正１】
【補正対象書類名】特許請求の範囲
【補正対象項目名】全文
【補正方法】変更
【補正の内容】
【特許請求の範囲】
【請求項１】
物質を毛、特に睫毛又は眉毛に塗布するアプリケータであって、アプリケータは、支持体（20;30;40;91;101;120;130;140;151;180;181;182;190）と、支持体に固定されていて、物質を塗布する剛毛とを有し、アプリケータは物質を収容する入れ物を有する器具に使用され、前記支持体は、ねじれておらず、前記支持体は、一群の剛毛（22）を保持した断面が一様ではない少なくとも１つの貫通穴（21）を有しており、支持体は、複数の貫通穴を有し、各貫通穴は、一群の剛毛（22）をそれぞれ受け入れていることを特徴とするアプリケータ。
【請求項２】
前記少なくとも１つの貫通穴は、支持体の外面で開口した２つの端部を有していることを特徴とする請求項１記載のアプリケータ。
【請求項３】
所与の穴に対応した一群の剛毛は、剛毛の差し込み後に支持体の材料に塑性変形を施して穴を変形させることによって前記穴の中に保持されることを特徴とする請求項１又は２に記載のアプリケータ。
【請求項４】
前記塑性変形は、支持体を成形し、継ぎ合わせし、ヒートシールし、或いはプレス加工することにより、好ましくは成形することによって達成されることを特徴とする請求項３記載のアプリケータ。
【請求項５】
支持体は、貫通穴と連携してこれに垂直に設けられた少なくとも１つの盲穴（52）を有することを特徴とする請求項１〜４のうち何れか一に記載のアプリケータ。
【請求項６】
支持体は、少なくとも１つの列をなす穴（21）を有していることを特徴とする請求項１〜５のうち何れか一に記載のアプリケータ。
【請求項７】
物質を包装し、これを睫毛又は眉毛に塗布する器具であって、請求項１〜６のうち何れか一に記載のアプリケータと、物質を収容する入れ物（2）と、アプリケータが入れ物から出る時にアプリケータを拭うことができるワイパー部材、特にフォーム又はエラストマータイプのワイパー部材（5;5'）とから成り、軸は好ましくは、ワイパー部材を変形させないようワイパー部材と同一高さに細い領域を有していることを特徴とする器具。
【請求項８】
物質を毛、特に睫毛又は眉毛に塗布するアプリケータを製造する方法であって、貫通穴を備えた細長い形状のねじれていない支持体を形成する工程と、剛毛群を貫通穴に差し込む工程と、支持体の穴を変形させて各剛毛群を対応関係にある穴内に保持する工程とを有することを特徴とする方法。
【請求項９】
剛毛を、貫通穴に差し込む前に、Ｕ字形の形状に折り曲げることを特徴とする請求項８記載の方法。
【請求項１０】
物質を毛、特に睫毛又は眉毛に塗布するアプリケータを製造する方法であって、貫通穴及び前記貫通穴の軸線に実質的に垂直な軸線をもつ補助穴を備えた細長い形状のねじれていない支持体を形成する工程と、剛毛群を貫通穴内に差し込む工程と、ペグを前記補助穴に差し込んで剛毛群をそれぞれ対応関係にある貫通穴内に保持する工程とを有することを特徴とする方法。
【手続補正書】
【提出日】平成20年5月29日(2008.5.29)
【手続補正１】
【補正対象書類名】明細書
【補正対象項目名】０００３
【補正方法】変更
【補正の内容】
【０００３】
また、従来システムは、特定の生理学的パラメータの統計的測定、グラフ、棒グラフなどの、非画像に基づく情報をユーザに提示するモードも提供する。
【特許文献１】米国特許出願公開第２００３／００９７０８６号